(57)【特許請求の範囲】
【請求項１】
第１の画像を登録するデータベースと、
被写体を撮像する撮像手段と、
前記データベースから読み出された第１の画像と、前記撮像手段で撮像された第２の画像とを重ね合わせて表示し、前記第１の画像、及び前記第２の画像に画像中の対象物の向きを表す上で特徴となる特徴線を延長する複数の補助線を挿入させて表示する表示手段と、
表示される補助線と補助線とのなす角度から、前記被写体の移動量を算出する算出手段と、
を具備することを特徴とする位置合わせシステム。
【請求項２】
前記第１の画像又は前記第２の画像は特徴線で表示されることを特徴とする請求項２に記載された位置合わせシステム。
【請求項３】
前記第１の画像又は前記第２の画像は半透明の透過表示されることを特徴とする請求項２に記載された位置合わせシステム。
【請求項４】
第１の画像を登録するデータベースと、
被写体を撮像する撮像手段と、
前記データベースから読み出された第１の画像と、前記撮像手段で撮像された第２の画像とを重ね合わせて表示し、前記第１の画像、及び前記第２の画像に画像中の対象物の向きを表す上で特徴となる特徴線を延長する複数の補助線を挿入させて表示する表示手段と、
表示される補助線と補助線とのなす角度から、前記被写体の移動量を算出する算出手段と、
を具備する特徴とするデジタルカメラ。
【請求項５】
コンピュータを請求項１から請求項３いずれかに記載の位置合わせシステムとして機能させるプログラム。
【請求項６】
コンピュータを請求項１から請求項３いずれかに記載の位置合わせシステムとして機能させるプログラムを記録した記録媒体。
【発明の詳細な説明】
【０００１】
【発明の属する技術分野】
本発明は、被写体の位置および角度を別の画像に揃えて撮像するための位置合わせシステム、デジタルカメラ及び記録媒体に関するものである。
【０００２】
【従来の技術】
商品の紹介や商品の販売を目的として作成されるカタログ等においては、商品等が写真で掲載されることが多い。このような写真では、掲載される多くの商品の大きさや角度が揃っている必要がある。
従来、このような商業用の写真撮像を行う場合、カメラマンは、以前に撮像した商品の写真を参考にしながら、商品の設定位置やカメラの角度を合わせて撮像を行なっていた。
【０００３】
【発明が解決しょうとする課題】
しかしながら、撮像後、以前撮像した商品の写真と今回撮像した写真の位置、大きさ、角度等が揃っているかを確認すると、以前撮像した商品の写真と今回撮像した写真とはズレがあることが多く、再び撮像を行っていた。
このように、以前作成したカタログ等に新たな商品を追加するために撮像を行う場合や、撮像が数日間にまたがって行われる場合等で、途中で休憩等を挟んで撮像が行われると、以前に撮像されたものと同じ条件で撮像を行うことは難しい。また、撮像後、同じ条件で撮像ができたと思っても、カタログとして写真を並べてみると、数多くの商品を同じ様式で掲載するので、微妙に商品の大きさ、位置、角度等が揃わないことがあり、始めから撮像をやり直すことがあった。
【０００４】
本発明は、このような問題に鑑みてなされたもので、その目的とするところは、予め撮像された画像と位置、大きさ、角度が正確に揃っていることを簡単に確認しながら撮像することのできる位置合わせシステム、デジタルカメラ及び記録媒体を提供することにある。
【０００５】
【課題を解決するための手段】
前述した目的を達成するために、第１の発明は、第１の画像を登録するデータベースと、被写体を撮像する撮像手段と、前記データベースから読み出された第１の画像と、前記撮像手段で撮像された第２の画像とを重ね合わせて表示し、前記第１の画像、及び前記第２の画像に画像中の対象物の向きを表す上で特徴となる特徴線を延長する複数の補助線を挿入させて表示する表示手段と、表示される補助線と補助線とのなす角度から、前記被写体の移動量を算出する算出手段と、を具備することを特徴とする位置合わせシステムである。
【０００６】
また、第２の発明は、第１の画像を登録するデータベースと、被写体を撮像する撮像手段と、前記データベースから読み出された第１の画像と、前記撮像手段で撮像された第２の画像とを重ね合わせて表示し、前記第１の画像、及び前記第２の画像に画像中の対象物の向きを表す上で特徴となる特徴線を延長する複数の補助線を挿入させて表示する表示手段と、表示される補助線と補助線とのなす角度から、前記被写体の移動量を算出する算出手段と、を具備する特徴とするデジタルカメラである。
【０００７】
また、第３の発明は、コンピュータを第１の発明の位置合わせシステムとして機能させるプログラムである。
また、第４の発明は、コンピュータを第１の発明の位置合わせシステムとして機能させるプログラムを記録した記録媒体である。
【０００８】
【発明の実施の形態】
以下、図面に基づいて、本発明の形態を詳細に説明する。
図１は、本発明の実施の形態に係る位置合わせシステム１の概略構成図である。図１に示されるように、位置合わせシステム１は、デジタルカメラ３、表示装置５、マウス７、データベース９、コンピュータ１１、ＣＤ−ＲＯＭ１３等からなる。
【０００９】
デジタルカメラ３は、被写体を撮像する。データベース９は、撮像済みの画像をＯＫ画像として記録する。表示装置５は、データベース９から読み出したＯＫ画像及び、撮像中の被写体の画像を表示する。マウス７は、補助線等をドラッグして入力する。コンピュータ１１は、ＯＫ画像や被写体の画像を重ね合わせる等の処理を行う。ＣＤ−ＲＯＭ１３は、コンピュータ１１の処理を行うプログラムを保持する。
【００１０】
カメラマンは、データベース９から読み出したＯＫ画像とデジタルカメラ３で捕らえた撮像中の被写体の画像を表示装置５で重ね合わせて表示させ、撮像中の画像の大きさ、位置、角度等がＯＫ画像と合うように被写体をセッティングしつつ、撮像する。
【００１１】
図２は、位置合わせシステム１の処理を示すフローチャートである。図２に従い、位置合わせシステム１を用いた撮像の手順について説明する。
撮像済みのＯＫ画像をデータベース９より読み出し（ステップ２０１）、画像の表示形態を選択する（ステップ２０２）。
【００１２】
表示形態としては、ＯＫ画像３３の特徴線を表示する形態、ＯＫ画像３５を半透明な透過画像にして表示する形態がある。
【００１３】
特徴線を表示する表示形態が選択されれば、ＯＫ画像３３を表示装置５に表示する（ステップ２０３）。図３は、特徴線で表示されたＯＫ画像３３を示す図である。ステップ２０２で特徴線を選択すると、図３に示されるように特徴線のみが表示される。特徴線は、注目画素とその近傍画素の輝度の差を用いて一次微分値を計算することにより求められる。
【００１４】
ここで、画像全体または一部を拡大または縮小して表示したり、トリミングを施して表示することもできる。
【００１５】
次に、ＯＫ画像３３にマウス７等でドラッグしながら補助線３７を書き入れる（ステップ２０４）。図４は、特徴線で表示されたＯＫ画像３３に補助線３７を書き入れた図である。補助線３７は、ＯＫ画像３３中の商品の向きを表す上で特徴となっている線を延長するように挿入する。
【００１６】
尚、補助線３７は、複数本書き入れることも可能であるし、書き入れなくてもよい。
【００１７】
ステップ２０２で半透明な透過画像を選択すると、図５に示すように、半透明な透過画像で表示されたＯＫ画像３５が表示され（ステップ２０３）、更に、図６に示すように、補助線３９が書き込まれる（ステップ２０４）。
【００１８】
次に、図７に示す被写体４０をセッティングし（ステップ２０５）、デジタルカメラ３等で被写体４０の画像４１を取り入れる（ステップ２０６）。図７は、被写体４０を示す図である。この被写体４０の画像４１も拡大または縮小して表示したり、トリミングしたり、補助線の挿入等を施すことができる。
【００１９】
被写体４０の画像４１とＯＫ画像３３を重ね合わせて表示し（ステップ２０７）、ＯＫ画像３３と画像４１の大きさ、位置、角度等のズレがないかを確認する（ステップ２０８）。
【００２０】
図８は、ＯＫ画像３３と被写体４０の画像４１とを重ねて表示した図であり、図９は、ＯＫ画像３３に補助線３７ａ、３７ｂを挿入し、画像４１を重ねて表示した図である。
【００２１】
図１０は、ＯＫ画像３５と被写体４０の画像４１とを重ねて表示した図であり、図１１は、ＯＫ画像３５に補助線３９を挿入し、画像４１を重ねて表示した図である。
【００２２】
カメラマンは、表示装置５に図８から図１１のように表示されるのを見て、ＯＫ画像３３、３５と被写体４０の画像４１とがズレている場合、被写体４０を再セッティングし（ステップ２０５）、ステップ２０６からステップ２０８の処理を繰り返す。
【００２３】
尚、図9に示すように画像４１に対して補助線３８を挿入し、補助線３８と補助線３７ａとのなす角度から、被写体４０の移動量を算出し、被写体４０のセッティングの目安とすることもできる。
【００２４】
ＯＫ画像３３、３５と被写体４０の画像４１のズレがなくなれば、被写体４０を撮像し（ステップ２０９）、画像４１をデータベース９にＯＫ画像として記録し（ステップ２１０）、撮像は終了する。
【００２５】
尚、ステップ２０６で被写体４０の画像４１を取り入れるのは、被写体の仮の撮像であり、ステップ２０９が被写体４０の真の撮像と言える。
【００２６】
この後、他の商品の撮像を行う場合、撮像済みのＯＫ画像３３、３５を替える必要がなければ、ステップ２０１〜２０４を省略し、新たな被写体４０をセッティングするステップ２０５から実行すればよい。
【００２７】
このように本実施の形態では、撮像する商品を正確にセッティングできたことを確認しながら、ＯＫ画像の位置、大きさ、角度に合わせ、次々に商品の撮像を行うことができるので、正確にしかも迅速に撮像することができる。
【００２８】
尚、本実施の形態では、被写体４０の画像４１と特徴線で表示したＯＫ画像３３または透過画像で表示したＯＫ画像３５を、重ね合わせて表示しているが、被写体４０の画像４１に対して特徴線表示または、透過画像表示を行ってもよい。
【００２９】
更に、本実施の形態では、コンピュータ１１、表示装置５、データベース９をデジタルカメラ３に接続しているが、これらをデジタルカメラ３に内蔵することもできる。
【００３０】
又、データベース９に保存されるＯＫ画像は、撮像済みの画像に、補助線を付け加えたものや、特徴線のみの画像でもよい。
【００３１】
【発明の効果】
以上詳細に説明したように、本発明によれば、予め撮像された画像と位置や大きさ、角度が正確に揃っていることを簡単に確認しながら撮像することのできる位置合わせシステム、デジタルカメラ及び記録媒体を提供することができる。
【図面の簡単な説明】
【図１】本発明の実施の形態に係る位置合わせシステム１の概略構成図
【図２】位置合わせシステム１の処理を示すフローチャート
【図３】特徴線で表示されたＯＫ画像３３を示す図
【図４】特徴線で表示されたＯＫ画像３３に補助線３７を書き入れた図
【図５】半透明な透過画像で表示されたＯＫ画像３５を示す図
【図６】半透明な透過画像で表示されたＯＫ画像３５に補助線３９を書き入れた図
【図７】被写体４０を示す図
【図８】ＯＫ画像３３と被写体４０の画像４１とを重ねて表示した図
【図９】ＯＫ画像３３に補助線３７ａ、３７ｂを挿入し、画像４１を重ねて表示した図
【図１０】ＯＫ画像３５と被写体４０の画像４１とを重ねて表示した図
【図１１】ＯＫ画像３５に補助線３９を挿入し、画像４１を重ねて表示した図
【符号の説明】
１………位置合わせシステム
３………デジタルカメラ
５………表示装置
７………マウス
９………データベース
１１………コンピュータ
１３………ＣＤ−ＲＯＭ
３３………特徴線で表示されたＯＫ画像
３５………半透明な透過画像で表示さたＯＫ画像
３７、３７ａ、３７ｂ、３８、３９………補助線
４０………被写体
４１………被写体４０の画像
【図１】
0003658283.tif 000002
【図２】
0003658283.tif 000003
【図３】
0003658283.tif 000004
【図４】
0003658283.tif 000005
【図５】
0003658283.tif 000006
【図６】
0003658283.tif 000007
【図７】
0003658283.tif 000008
【図８】
0003658283.tif 000009
【図９】
0003658283.tif 000010
【図１０】
0003658283.tif 000011
【図１１】
0003658283.tif 000012